(57)【要約】【課題】製造コストを低減させながら安全性を向上させる。【解決手段】ヒーターケース16を中空パイプ状のカバー本体55によって外側から囲んでいるので、通電中に誤ってヒーター12を空気中に取り出しても、カバー本体55により指先が高温に加熱されたヒーターケース16に接触するような事態は確実に阻止される。しかも、端部カバー42、43はヒーターケース16に、また、カバー本体55は前記端部カバー42、43に着脱可能に取り付けられているため、ヒーターカバー41を構成する端部カバー42、43、カバー本体55のいずれかが不良品であっても、該不良品である端部カバー42、43、カバー本体55を取り外して良品に交換するだけで対処することができる。【選択図】図２
2013220056.tif 000002
【特許請求の範囲】
【請求項１】
軸方向両端が閉止され内部に密閉された収納空間が形成された円筒状のヒーターケース、および、該ヒーターケースの収納空間に収納され、通電されたとき発熱して水槽内の水を加熱する発熱線を有するヒーターと、前記ヒーターケースの軸方向両端部外側にそれぞれ着脱可能に取り付けられた端部カバー、および、前記ヒーターケースの軸方向中央部を外側から囲むよう遊嵌され、軸方向両端部が前記端部カバーに着脱可能に取り付けられた金属からなる中空パイプ状のカバー本体を有し、前記ヒーターを外側から覆うヒーターカバーとを備えたことを特徴とする水槽用ヒーター装置。
【請求項２】
各端部カバーに複数の貫通孔を形成する一方、カバー本体を無孔とした請求項１記載の水槽用ヒーター装置。
【請求項３】
前記収納空間の軸方向一端部に、ヒーターが異常高温となったとき、発熱線に対する通電を遮断する電流遮断部材が収納されているとき、ヒーターケースの軸方向一端部に取り付けられた一端側端部カバーを前記電流遮断部材を越えるまで軸方向中央に向かって延在させるとともに、該電流遮断部材と重なり合う部位の一端側端部カバーに前記貫通孔を形成するようにした請求項２記載の水槽用ヒーター装置。
【請求項４】
前記端部カバーを中心軸を含む平面で２分割するとともに、これら２分割された分割片同士を締結する締結部を分割片に設けるようにした請求項１〜３のいずれか一項に記載の水槽用ヒーター装置。
【請求項５】
前記カバー本体の内周にヒーターケースに向かって延び周方向に離れた複数のフィンを形成した請求項１〜４のいずれか一項に記載の水槽用ヒーター装置。
【発明の詳細な説明】
【技術分野】
【０００１】
この発明は、ヒーターの外側をヒーターカバーによって覆った水槽用ヒーター装置に関する。
【背景技術】
【０００２】
従来、観賞魚等を水槽で飼育する場合、表面が高温となったヒーターに該観賞魚等が直接接触することがないよう、ヒーターの外側をヒーターカバーで覆った水槽用ヒーター装置を用いることがあり、このような水槽用ヒーター装置としては、例えば以下の特許文献１に記載されているようなものが知られている。
【先行技術文献】
【特許文献】
【０００３】
【特許文献１】特開平９−００９８２１号公報
【０００４】
このものは、軸方向両端が閉止され内部に密閉された収納空間が形成された円筒状のヒーターケース、および、該ヒーターケースの収納空間に収納され、通電されたとき発熱して水槽内の水を加熱する発熱線を有するヒーターと、前記ヒーターケースの軸方向両端部外側に複数（４個）の取付ネジによりそれぞれ着脱可能に取り付けられた取付リング、および、前記ヒーターケースの軸方向中央部を外側から囲むよう配置され、軸方向両端部が前記取付リングに固定されるとともに、周方向に等距離離れて設置された複数本（６本）の軸方向に延びる金属製細棒からなるカバー部材を有し、前記ヒーターを外側から覆うヒーターカバーとを備えたものである。
【発明の概要】
【発明が解決しようとする課題】
【０００５】
しかしながら、このような従来の水槽用ヒーター装置にあっては、高温に加熱されるヒーターケースの軸方向中央部を囲むカバー部材を、周方向に離れた複数本の金属製細棒から構成しているため、これら細棒間にある程度の隙間が生じている。ここで、通電中に誤ってヒーターカバーを手で持って空気中に取り出したような場合、前記隙間に指先が入り込むと、該指先が高温のヒーターケースに直接接触して火傷を負うという危険性を排除できないという課題があった。また、前記水槽用ヒーター装置の製造最終段階で検査によりヒーターカバーを構成する取付リング、細棒のいずれかが不良品であると判明したとき、分解ができないため、ヒーターカバー全体を不良品として廃棄せざるを得ず、この結果、歩留まりが悪くなり製造コストが上昇してしまうという課題もあった。
【０００６】
この発明は、製造コストを容易に低減させながら安全性を向上させることができる水槽用ヒーター装置を提供することを目的とする。
【課題を解決するための手段】
【０００７】
このような目的は、軸方向両端が閉止され内部に密閉された収納空間が形成された円筒状のヒーターケース、および、該ヒーターケースの収納空間に収納され、通電されたとき発熱して水槽内の水を加熱する発熱線を有するヒーターと、前記ヒーターケースの軸方向両端部外側にそれぞれ着脱可能に取り付けられた端部カバー、および、前記ヒーターケースの軸方向中央部を外側から囲むよう遊嵌され、軸方向両端部が前記端部カバーに着脱可能に取り付けられた金属からなる中空パイプ状のカバー本体を有し、前記ヒーターを外側から覆うヒーターカバーとを備えた水槽用ヒーター装置により、達成することができる。
【発明の効果】
【０００８】
この発明においては、ヒーターケースの軸方向中央部を中空パイプ状のカバー本体によって外側から囲んでいるので、通電中に誤ってヒーターカバーを手で持って空気中に取り出したような場合であっても、カバー本体により指先が高温に加熱されたヒーターケースに接触するような事態は確実に阻止され、安全性を効果的に向上させることができる。しかも、端部カバーがヒーターケースに着脱可能に取り付けられ、カバー本体が端部カバーに着脱可能に取り付けられているため、水槽用ヒーター装置の製造最終段階での検査によりヒーターカバーを構成する端部カバー、カバー本体のいずれかが不良品であると判明したときでも、該不良品である端部カバー、カバー本体を取り外して良品に交換するだけで対処することができ、製造コストを容易に低減させることができる。
【０００９】
また、請求項２に記載のように構成すれば、カバー本体はヒーターから受け取った熱を伝熱により水中に放熱することができるため、放熱面積が増大して水槽内の水の温度をより均一とすることができるとともに、カバー本体の製作費を安価とすることができる。さらに、請求項３に記載のように構成すれば、電流遮断部材は一端側端部カバーの貫通孔を通じて水槽内の平均的な水温の水に接触することができ、これにより、電流遮断部材の異常作動を確実に防止することができる。また、請求項４に記載のように構成すれば、各端部カバーをヒーターケースの軸方向端部外側に迅速かつ容易に脱着することができる。さらに、請求項５に記載のように構成すれば、ヒーターから放出された熱を効率よく周囲の水に伝達することができる。
【図面の簡単な説明】
【００１０】
【図１】この発明の実施形態１を示す概略正面断面図である。
【図２】ヒーター、ヒーターカバーの一部破断正面図である。
【図３】図２のＩ−Ｉ矢視断面図である。
【図４】図２のII−II矢視断面図である。
【発明を実施するための形態】
【００１１】
以下、この発明の実施形態１を図面に基づいて説明する。
図１、２において、11は観賞魚等の飼育を行う水槽であり、この水槽11内には所定量の水（淡水、海水）Ｗが貯留されている。12は水槽11の水Ｗに沈められた上下方向に延びる水温制御用のヒーターであり、このヒーター12は、軸方向両端が開口した円筒状を呈するケース本体13を有し、このケース本体13は、例えば、セラミックや石英ガラス等から構成されている。14はゴム、プラスチック等の絶縁材料から構成された一対のキャップであり、これらのキャップ14の外周には周方向に延びるフランジ部15がそれぞれ形成されている。そして、一側のキャップ14ａがケース本体13の一端部に嵌合されることで、該ケース本体13の一端開口が閉止され、また、他側のキャップ14ｂがケース本体13の他端部に嵌合されることで、該ケース本体13の他端開口が閉止される。このように円筒状のケース本体13と、該ケース本体13の軸方向両端を閉止する一対のキャップ14とは全体としてヒーターケース16を構成するが、このとき、該ヒーターケース16の内部には密閉された収納空間17が形成される。なお、この発明においては、ケース本体13を軸方向他端に底壁を有する有底円筒状のものから構成してもよく、この場合には該ケース本体13の軸方向一端部のみにキャップ14が嵌合されることになる
【００１２】
前記収納空間17はケース本体13内でその軸方向両端部にそれぞれ配置された仕切板により仕切られ、この仕切板とキャップ14との間の収納空間17にはシリコン等からなるシール材が充填されている。また、これら仕切板間の収納空間17内にはケース本体13の軸方向に延びる帯板状のセパレータ21が収納されている。22は螺旋状に屈曲した発熱線であり、この発熱線22は前述した両仕切板間の収納空間17に収納されるとともに、その両端はケース本体13の軸方向一端部に位置し、また、その長手方向中央部はセパレータ21の他端において折り返されている。そして、この発熱線22は、例えばニクロム線、鉄クロム線から構成され、通電されたとき、発熱して水槽11内の水Ｗを加熱する。また、この発熱線22の周囲の収納空間17には絶縁砂が充填されており、この結果、前記発熱線22から放出された熱は該絶縁砂を通じて水槽11内の水Ｗに伝達される。なお、この絶縁砂は省略してもよい。
【００１３】
25は接続コードであり、この接続コード25の一端にはプラグ26が、一方、その他端には前記発熱線22の両端が接続されており、この結果、前記接続コード25を通じて発熱線22に通電することができる。27は発熱線22より軸方向一側の収納空間17に収納された電流遮断部材であり、この電流遮断部材27は、サーモスタット等のサーマルプロテクタまたは温度ヒューズ等から構成されている。そして、この電流遮断部材27は前記接続コード25の途中に介装されており、この結果、前記発熱線22への通電中に誤ってヒーター12が水槽11から空中に取り出されれたり、あるいは、水槽11の破損により水槽11内から水Ｗが流出してヒーター12が空中に露出するようになると、電流遮断部材27は発熱線22からの熱によりヒーター12（電流遮断部材27）が異常高温となったことを検知して発熱線22に対する通電を遮断する。
【００１４】
30は水槽11から離れて設置された制御ユニットであり、この制御ユニット30は前面に水温の設定を行う設定ダイヤル31が設けられている。32は一端に商用電源のコンセントに差し込まれるプラグ33が取り付けられ、他端に前記プラグ26が差し込まれるコンセント34が取り付けられた電源コードであり、この電源コード32の途中には前記制御ユニット30が介装されている。そして、前記プラグ33が商用電源のコンセントに差し込まれ、かつ、プラグ26がコンセント34に差し込まれているとき、前記制御ユニット30に収納されているサイリスタ、トライアック等の通電制御素子は発熱線22に対する通電を制御し、水Ｗの温度を調節する。35は水槽11の水Ｗに沈められている水温検出ユニットであり、この水温検出ユニット35には、例えばサーミスタから構成された図示していない水温検出センサが内蔵されている。そして、この水温検出ユニット35の水温検出センサと前記制御ユニット30に内蔵されている図示していない制御回路とはコード36によって互いに接続されている。
【００１５】
そして、前記制御回路に設定ダイヤル31からの設定信号および水温検出ユニット35の水温検出センサからの検出信号が入力されると、該制御回路は水温検出センサが検出した温度と設定ダイヤル31によって設定された所定温度とを比較し、検出温度が所定温度未満である場合には、制御回路は前記通電制御素子を作動させて発熱線22に対し通電する一方、検出温度が所定温度を超えると、通電制御素子の作動を停止させ発熱線22に対する通電を遮断する。前述した制御ユニット30、水温検出ユニット35は全体として、水温検出センサにより検出した水Ｗの水温を基に発熱線22への通電を制御して、水Ｗの水温を所定温度に制御する制御部39を構成する。なお、この発明においては、前記水温検出センサを電流遮断部材27より軸方向一側の収納空間17内に収納するようにしてもよく、さらに、前述した制御回路、通電制御素子も水温検出センサ近傍の収納空間17内に収納するようにしてもよい。
【００１６】
41は前記ヒーター12と同軸で該ヒーター12のほぼ軸方向全域を外側から覆うヒーターカバーであり、このヒーターカバー41は前記ヒーターケース16の軸方向両端部外側をそれぞれ覆う端部カバー42、43、ここではヒーターケース16の軸方向一端部外側を覆う一端側端部カバー42、および、ヒーターケース16の軸方向他端部外側を覆う他端側端部カバー43を有する。これら一端側、他端側端部カバー42、43はヒーターケース16と同軸の円筒状を呈しており、所望形状に容易かつ安価に製作するため、プラスチックから構成されている。また、前記一端側、他端側端部カバー42、43には共に半径方向に貫通する複数の矩形状をした貫通孔44、45がそれぞれ形成され、この結果、これら貫通孔44、45を通じて水Ｗは一端側、他端側端部カバー42、43内外に容易に出入りすることができる。
【００１７】
図２、３、４において、前記一端側端部カバー42および他端側端部カバー43はいずれも中心軸を含む平面で断面半円状の一端側分割片42ａ、42ｂおよび他端側分割片43ａ、43ｂに２分割されている。ここで、一端側分割片42ａ、他端側分割片43ａの周方向両端部（分割端部）外周には周方向に突出した複数の締結部48、49が軸方向に離れて一体形成されている。そして、前記一端側分割片42ａ、42ｂ同士の周方向両端面同士が当接して円筒状となったとき、前記締結部48の先端部が一端側分割片42ｂに形成されている貫通孔44に引っ掛けられて一端側分割片42ａ、42ｂ同士を互いに締結し、また、前記他端側分割片43ａ、43ｂ同士の周方向両端面同士が当接して円筒状となったとき、前記締結部49の先端部が他端側分割片43ｂに形成されている貫通孔45に引っ掛けられて他端側分割片43ａ、43ｂ同士を互いに締結する。
【００１８】
また、前述のように円筒状を呈するよう締結された一端側分割片42ａ、42ｂ（一端側端部カバー42）の内周には円周方向に連続して延びる円周溝52が形成されている。そして、この円周溝52には、一端側端部カバー42がキャップ14ａの外側に嵌合されたとき、該キャップ14ａのフランジ部15が挿入され、これにより、一端側端部カバー42はキャップ14ａに対する軸方向移動の規制（抜け止め）が行われながら、キャップ14ａに着脱可能に取り付けられる。一方、前述のように円筒状を呈するよう締結された他端側分割片43ａ、43ｂ（他端側端部カバー43）の内周にも円周方向に連続して延びる円周溝53が形成されている。そして、この円周溝53には、他端側端部カバー43がキャップ14ｂの外側に嵌合されたとき、該キャップ14ｂのフランジ部15が挿入され、これにより、他端側端部カバー43はキャップ14ｂに対する軸方向移動の規制（抜け止め）が行われながら、キャップ14ｂに着脱可能に取り付けられる。
【００１９】
前述のように一端側、他端側端部カバー42、43を中心軸を含む平面で２分割するとともに、これら２分割された一端側分割片42ａ、42ｂ同士および他端側分割片43ａ、43ｂ同士を締結する締結部48、49を一端側分割片42ａ、他端側分割片43ａに設けるようにしたので、これら一端側、他端側端部カバー42、43をヒーターケース16の軸方向端部（ここでは両端部）外側に迅速かつ容易に脱着することができる。なお、この発明においては、後述の突起57、係止孔58と同様に、一端側分割片42ａ、42ｂまたは他端側分割片43ａ、43ｂのいずれか一方に突起を、残り他方に前記突起が挿入可能な貫通孔を形成し、突起を貫通孔に挿入することで、一端側分割片42ａ、42ｂ同士および他端側分割片43ａ、43ｂ同士を締結するようにしてもよい。また、この発明においては、前記２つの分割位置のいずれか一方を薄肉の薄肉部で一端側分割片42ａ、42ｂ同士および他端側分割片43ａ、43ｂ同士を開閉可能に連結し、一端側分割片42ａ、42ｂ、他端側分割片43ａ、43ｂを閉止したとき、締結部を用いて締結するようにしてもよい。
【００２０】
ここで、前述のように収納空間17の軸方向一端部に電流遮断部材27が収納されているときには、ヒーターケース16の軸方向一端部に取り付けられた一端側端部カバー42を前記電流遮断部材27を越えるまで軸方向中央に向かって延在させるとともに、該電流遮断部材27と重なり合う部位の一端側端部カバー42に前述した貫通孔44を形成している。このような位置の一端側端部カバー42に貫通孔44を形成すれば、電流遮断部材27は一端側端部カバー42の貫通孔44を通じて出入りする水槽11内の平均的な水温の水Ｗに常時接触することができ、これにより、発熱線22により加熱されて高温となった水Ｗが電流遮断部材27の外側で滞留するような事態が阻止され、該電流遮断部材27の異常作動を確実に防止することができる。なお、前述のように水温検出センサ、制御回路、通電制御素子が収納空間17に収納されているときには、これら水温検出センサ、制御回路、通電制御素子に重なり合う部位の一端側端部カバー42にも貫通孔44を形成することが好ましい。
【００２１】
55は前記ヒーターケース16の軸方向中央部を外側から囲むよう配置された中空パイプ状、ここでは円筒状のカバー本体であり、このカバー本体55はヒーターケース16に遊嵌されているため、これらカバー本体55とヒーターケース16との間には一定厚さの円筒状をした空間56が形成される。ここで、前記カバー本体55は熱伝導性が良好な金属、例えば、アルミニウム、アルミニウム合金、マグネシウム合金、スチール等から構成され、その軸方向両端部は一端側、他端側端部カバー42、43の軸方向内端部外側に嵌合されて取り付けられている。ここで、前記一端側、他端側端部カバー42、43のカバー本体55と重なり合っている軸方向内端部外周には周方向に離れた複数の小さな突起57が形成され、一方、カバー本体55の一端側、他端側端部カバー42、43と重なり合っている軸方向両端部には前記突起57が挿入される係止用の係止孔58が周方向に離れて複数（突起57と同数）形成されている。
【００２２】
このようにカバー本体55の軸方向両端部が一端側、他端側端部カバー42、43の軸方向内端部に嵌合されたとき、突起57が対応する係止孔58に挿入されることで、カバー本体55は一端側、他端側端部カバー42、43に着脱可能に取り付けられる。なお、この発明においては、一端側、他端側端部カバー42、43またはカバー本体55のいずれか一方の外周におねじを、残り他方の内周に前記おねじに螺合するめねじを形成することで、カバー本体55を一端側、他端側端部カバー42、43に着脱可能に取り付けるようにしてもよい。前述した一端側、他端側端部カバー42、43およびカバー本体55は全体として、前記ヒーター12を外側から覆う前記ヒーターカバー41を構成する。
【００２３】
前述のようにこの実施形態においては、ヒーターケース16の軸方向中央部を中空パイプ状のカバー本体55によって外側から囲んでいるので、通電中に誤ってヒーターカバー41を手で持って空気中に取り出したような場合であっても、前記カバー本体55により指先が高温に加熱されたヒーターケース16に接触するような事態は確実に阻止され、安全性を効果的に向上させることができる。しかも、一端側、他端側端部カバー42、43がヒーターケース16に着脱可能に取り付けられ、カバー本体55が一端側、他端側端部カバー42、43に着脱可能に取り付けられているため、水槽用ヒーター装置の製造最終段階での検査により、ヒーターカバー41を構成する一端側、他端側端部カバー42、43、カバー本体55のいずれかが不良品であると判明したときでも、該不良品である一端側、他端側端部カバー42、43、カバー本体55を取り外して良品に交換するだけで対処することができ、製造コストを容易に低減させることができる。
【００２４】
ここで、前述のカバー本体55は前記係止孔58を除いて無孔となっている、即ち半径方向に貫通した孔は形成されていない。このようにカバー本体55を無孔とする一方、前記一端側、他端側端部カバー42、43に複数の貫通孔44、45を形成すれば、カバー本体55はヒーター12から水Ｗを通じて受け取った熱を伝熱により水中に放熱することができるため、放熱面積が増加して水槽11内の水Ｗの温度をより均一とすることができるとともに、カバー本体55の製作費を安価とすることができる。また、前記カバー本体55の内周にはヒーターケース16に向かって半径方向に該ヒーターケース16の外表面近傍まで延びる複数のフィン62が形成され、これらのフィン62は周方向に等距離離れて配置されている。このようにカバー本体55の内周にヒーターケース16に向かって延びる周方向に離れた複数のフィン62を形成すれば、ヒーター12から放出された熱は水Ｗから熱伝導性が良好な金属からなるカバー本体55のフィン62に伝達され、その後、該カバー本体55の外表面から周囲の水Ｗに効率よく伝達されるため、水槽11内の水Ｗの温度をほぼ均一に加熱することができる。なお、前述のフィン62は省略してもよい。
【００２５】
次に、前記実施形態１の作用について説明する。
前述のヒーター12にヒーターカバー41を装着するには、まず、カバー本体55をヒーターケース16（ケース本体13）の外側に遊嵌した後、一端側端部カバー42を構成する一端側分割片42ａ、42ｂを互いに接近させて円周溝52にキャップ14ａのフランジ部15を嵌合させつつ、締結部48によりこれら一端側分割片42ａ、42ｂ同士を締結して、ヒーターケース16の軸方向一端部に着脱可能に取り付けられた一端側端部カバー42を成形する一方、他端側端部カバー43を構成する他端側分割片43ａ、43ｂを互いに接近させて円周溝53にキャップ14ｂのフランジ部15を嵌合させつつ、締結部49によりこれら他端側分割片43ａ、43ｂ同士を締結して、ヒーターケース16のキャップ14ｂに着脱可能に取り付けられた他端側端部カバー43を成形する。このとき、一端側、他端側端部カバー42、43の突起57をカバー本体55の係止孔58にそれぞれ挿入し、カバー本体55を一端側、他端側端部カバー42、43に着脱可能に取り付け、ヒーター12にヒーターカバー41を装着する。このような水槽用ヒーター装置は製造の最終段階で検査を行うが、このとき、ヒーターカバー41を構成する一端側、他端側端部カバー42、43、カバー本体55のいずれかが不良品であると判明しても、該不良品である一端側、他端側端部カバー42、43、カバー本体55を取り外して良品に交換するだけで容易に対処することができる。
【００２６】
次に、前述したヒーター12および該ヒーター12を覆うヒーターカバー41を水槽11の水中に沈めるとともに、水槽11の側壁にキスゴム64を用いてこれらヒーター12、ヒーターカバー41を垂直方向に延びるよう取り付ける。その後、プラグ26をコンセント34に、また、プラグ33を商用電源のコンセントにそれぞれ差し込み、発熱線22に対し通電可能とする。この結果、前記設定ダイヤル31からの設定信号および水温検出ユニット35の水温検出センサからの検出信号が制御回路に入力されるが、このとき、該制御回路は水温検出センサが検出した温度と設定ダイヤル31によって設定された所定温度とを比較し、検出温度が所定温度未満である場合には、制御回路は前記通電制御素子を作動して発熱線22に対し通電する。
【００２７】
ここで、前述のように発熱線22に対し通電が行われると、該発熱線22が発熱してヒーター12の周囲、詳しくはヒーター12とヒーターカバー41との間（空間56）に位置する水Ｗが加熱されるが、このように加熱されて温度の上昇した水Ｗは上昇流となって空間56内を上昇し、一端側端部カバー42に形成された貫通孔44を通過した後、周囲に拡散して水Ｗの温度を上昇させる一方、他端側端部カバー43に形成された貫通孔45を通じて水Ｗが空間56に流入する。また、このとき、空間56に位置する温度の上昇した水Ｗからカバー本体55のフィン62に熱が伝達されるが、この熱はカバー本体55を通じて該カバー本体55の外表面まで流れ、該外表面からも周囲の水Ｗに伝達されることで、水Ｗが効率よく加熱される。そして、前記検出温度が所定温度を超えるまで水Ｗの温度が上昇すると、通電制御素子の作動を停止させ発熱線22に対する通電を遮断する。このようにして水Ｗの温度が所定温度に制御される。ここで、掃除等のために通電中のヒーターカバー41を誤って手で持ちながら水槽11内から取り出しても、前記カバー本体55により指先が高温に加熱されたヒーターケース16（ケース本体13）に接触するような事態は確実に阻止され、安全性を効果的に向上させることができる。
【産業上の利用可能性】
【００２８】
この発明は、ヒーターの外側をヒーターカバーによって覆った水槽用ヒーター装置の産業分野に適用できる。
【符号の説明】
【００２９】
11…水槽                   12…ヒーター
16…ヒーターケース         17…収納空間
22…発熱線                 27…電流遮断部材
41…ヒーターカバー         42、43…端部カバー
44、45…貫通孔             48、49…締結部
55…カバー本体             62…フィン
Ｗ…水
【図１】
2013220056.tif 000003
【図２】
2013220056.tif 000004
【図３】
2013220056.tif 000005
【図４】
2013220056.tif 000006